(57)【特許請求の範囲】
【請求項１】
一対の基板と、
前記一対の基板間に配置された、電子または正孔を輸送する電荷輸送材料および光照射によって電子及び正孔を発生させる電荷発生材料を含む第１の粒子群および前記第１の粒子群とは異なる色の絶縁性の第２の粒子群と、
を備え、
前記第１の粒子群は、それぞれ異なる波長の光の照射により帯電し、かつそれぞれ異なる色の複数種類の粒子から成る画像表示媒体。
【請求項２】
一対の基板と、
前記一対の基板間に配置された、電子または正孔を輸送する電荷輸送材料および光照射によって電子及び正孔を発生させる電荷発生材料を含む第１の粒子群および前記第１の粒子群とは異なる色の絶縁性の第２の粒子群と、
を備え、
前記第１の粒子群は、赤色の光と青色の光とにより帯電するマゼンタ色の粒子、緑色の光と青色の光とにより帯電するシアン色の粒子、および、緑色の光と赤色の光とにより帯電するイエロー色の粒子からなる画像表示媒体。
【請求項３】
一対の基板と、
前記一対の基板間に配置された、電子または正孔を輸送する電荷輸送材料および光照射によって電子及び正孔を発生させる電荷発生材料を含む第１の粒子群および前記第１の粒子群とは異なる色の絶縁性の第２の粒子群と、
を備え、
前記第１の粒子群は、赤色の光と青色の光とにより帯電する、緑色の光を反射する粒子、青色の光と緑色の光とにより帯電する、赤色の光を反射する粒子、および、赤色の光と緑色の光とにより帯電する、青色の光を反射する粒子からなる画像表示媒体。
【請求項４】
一対の基板と、
前記一対の基板間に配置された、正孔を輸送する正孔輸送材料および光照射によって電子及び正孔を発生させる電荷発生材料を含む第１の粒子群および前記第１の粒子群とは異なる色の電子を輸送する電子輸送材料および光照射によって電子及び正孔を発生させる電荷発生材料を含む第２の粒子群と、
を備え、
前記第１の粒子群または前記第２の粒子群のうちの一方は、それぞれ異なる波長の光の照射により帯電し、かつそれぞれ異なる色の複数種類の粒子から成る画像表示媒体。
【請求項５】
一対の基板と、
前記一対の基板間に配置された、正孔を輸送する正孔輸送材料および光照射によって電子及び正孔を発生させる電荷発生材料を含む第１の粒子群および前記第１の粒子群とは異なる色の電子を輸送する電子輸送材料および光照射によって電子及び正孔を発生させる電荷発生材料を含む第２の粒子群と、
を備え、
前記第１の粒子群または前記第２の粒子群のうちの一方は、赤色の光と青色の光とにより帯電するマゼンタ色の粒子、緑色の光と青色の光とにより帯電するシアン色の粒子、および、緑色の光と赤色の光とにより帯電するイエロー色の粒子からなる画像表示媒体。
【請求項６】
一対の基板と、
前記一対の基板間に配置された、正孔を輸送する正孔輸送材料および光照射によって電子及び正孔を発生させる電荷発生材料を含む第１の粒子群および前記第１の粒子群とは異なる色の電子を輸送する電子輸送材料および光照射によって電子及び正孔を発生させる電荷発生材料を含む第２の粒子群と、
を備え、
前記第１の粒子群または前記第２の粒子群のうちの一方は、赤色の光と青色の光とにより帯電する、緑色の光を反射する粒子、青色の光と緑色の光とにより帯電する、赤色の光を反射する粒子、および、赤色の光と緑色の光とにより帯電する、青色の光を反射する粒子からなる画像表示媒体。
【請求項７】
請求項１乃至請求項６のいずれか１項に記載の画像表示媒体の、一対の基板間に電界を印加するとともに、一方の基板側から、それぞれ異なる波長の複数の光を画像データに基づいて選択的に照射することにより画像を表示する画像表示方法。
【請求項８】
請求項１乃至請求項６いずれか１項に記載の画像表示媒体に画像を表示する画像表示装置であって、
前記画像表示媒体の一対の基板に電界を印加する電界印加手段と、
前記画像表示媒体の一方の基板に画像データに基づいて光照射を行う光照射手段と、
を備えた画像表示装置。
【発明の詳細な説明】
【０００１】
【産業上の利用分野】
本発明は画像表示媒体、画像表示方法、画像表示装置に係り、より詳細には、露光および電圧印加によりカラー色での繰り返し書き換えが可能な画像表示媒体、この画像表示媒体に画像を表示する画像表示方法、および画像表示装置に関する。
【０００２】
【従来の技術】
従来より、繰り返し書き換えが可能なシート状の画像表示媒体として、Twisting Ball Display（２色塗り分け粒子回転表示）、電気泳動、磁気泳動、サーマルリライタブル媒体、メモリ性を有する液晶などの表示技術が提案されている。前記表示技術の内、サーマルリライタブル媒体、メモリ性液晶などは、画像のメモリ性には優れるが、表示面を紙のように十分な白表示とすることができず、そのため画像を表示した場合に、画像を表示した部分と表示しない部分との区別を目視で確認しにくい、すなわち、画質が悪くなるという問題があった。また電気泳動、磁気泳動を用いた表示技術は、画像のメモリ性を有し、かつ白色液体中に着色粒子を分散させた技術であるため、白表示には優れるが、画像表示部分を形成する黒（色）表示は着色粒子同士の隙間に常に白色液体が入り込むため、灰色がかってしまい、画質が悪くなるという問題があった。また、画像表示媒体の内側には白色液体が封入されているため、画像表示媒体を画像表示装置から取り外して紙のようにラフに取り扱った場合には、白色液体が画像表示媒体外部に漏出するおそれがある。また、Twisting Ball Displayは表示のメモリ性もあり、画像表示媒体の内部は、粒子周囲のキャビティにのみオイルが存在するが、ほとんど固体状態なのでシート化は比較的容易である。しかし、白く塗り分けられた半球面を表示側に完全に揃えた場合でも、球と球の隙間に入り込んだ光線は反射されず内部でロスしてしまうため、原理的にカバレッジ100%の白色表示はできず、やや灰色がかってしまうという問題がある。また、粒子サイズは画素サイズよりも小さいサイズであることが要求されるため、高解像度表示のためには色が塗り分けられた微細な粒子を製造しなければならず、高度な製造技術を要するといった問題もある。
【０００３】
一方、上記のような問題を解決する表示技術として、トナーを用いたディスプレー技術として、導電性着色トナーと白色粒子を対向する電極基板間に封入し、非表示基板の電極内側表面に設けた電荷輸送層を介して導電性着色トナーへ電荷を注入し、電荷注入された導電性着色トナーが非表示基板に対向して位置する表示基板側へ、電極基板間の電界により移動し、導電性着色トナーが表示側の基板内側へ付着して導電性着色トナーと白色粒子とのコントラストにより画像表示する表示技術が提案されている。本表示技術は、画像表示媒体が全て固体で構成されており、白と黒（色）の表示を原理的に100%切り替えることができる点で優れている。しかし、上記技術は、原理的には良好な２色コントラストを得る表示技術であり、２色以上の多色表示を行うためには、ＣＭＹやＲＧＢなどにセグメント分割された画素を個別に駆動して表示する必要がある。このような画素の分割は、同じ画素数でも表示解像度を1/3に低減し、媒体構成を複雑化し、また各色のセグメントを個別に駆動するために装置の複雑化に繋がるといった問題があった。さらにこれによって、画像表示媒体や画像表示装置のコストアップに繋がるという問題があった。
【０００４】
【発明が解決しようとする課題】
本発明は、上記事実に鑑み成されたものであり、より簡易な構成で低コストかつ高い解像度の多色（２色以上）での繰り返し書き換えが可能な画像表示媒体、この画像表示媒体に画像を表示する画像表示方法、画像表示装置を提供することを目的とする。
【０００５】
【課題を解決するための手段】
上記目的を達成するために、請求項１記載の画像表示媒体は、一対の基板と、前記一対の基板間に配置された、電子または正孔を輸送する電荷輸送材料および光照射によって電子及び正孔を発生させる電荷発生材料を含む第１の粒子群、および前記第１の粒子群とは異なる色の絶縁性の第２の粒子群と、を備え、前記第１の粒子群は、それぞれ異なる波長の光の照射により帯電し、かつそれぞれ異なる色の複数種類の粒子から成っている。
【０００６】
本発明によれば、光照射により光照射領域にある前記第１の粒子群を選択的に帯電させて、電界に従って移動させることにより画像表示を行うことができるので、マトリクス電極や画素電極を必要とせず、画像表示媒体を簡易な構成にすることができ、製造コストも低く押さえることができる。また、マトリクス電極や画素電極を使用しないので、画像の解像度が電極解像度に制約されず、電極解像度に制約されない高解像度表示を実現することができる。さらに、異なる色の粒子群によって構成されているので、多色表示が可能となる。
【０００７】
請求項２に記載の画像表示媒体は、一対の基板と、前記前記一対の基板間に配置された、電子または正孔を輸送する電荷輸送材料および光照射によって電子及び正孔を発生させる電荷発生材料を含む第１の粒子群および前記第１の粒子群とは異なる色の絶縁性の第２の粒子群と、を備え、前記第１の粒子群は、赤色の光と青色の光とにより帯電するマゼンタ色の粒子、緑色の光と青色の光とにより帯電するシアン色の粒子、および、緑色の光と赤色の光とにより帯電するイエロー色の粒子、を含んで構成されている。本発明によれば、光照射により選択的にシアン色、マゼンタ色、イエロー色の各粒子を帯電させ、電界の印加により移動させて画像を表示することができるので、画像のフルカラー表示が可能となる。
【０００８】
請求項３に記載の画像表示媒体は、一対の基板と、前記一対の基板間に配置された、電子または正孔を輸送する電荷輸送材料および光照射によって電子及び正孔を発生させる電荷発生材料を含む第１の粒子群および前記第１の粒子群とは異なる色の絶縁性の第２の粒子群と、を備え、前記第１の粒子群は、赤色の光と青色の光とにより帯電する、緑色の光を反射する粒子、青色の光と緑色の光とにより帯電する、赤色の光を反射する粒子、および、赤色の光と緑色の光とにより帯電する、青色の光を反射する粒子、を含んで構成されている。
【０００９】
また、請求項４記載の画像表示媒体は、一対の基板と、前記一対の基板間に配置された、正孔を輸送する正孔輸送材料および光照射によって電子及び正孔を発生させる電荷発生材料を含む第１の粒子群、および前記第１の粒子群とは異なる色の電子を輸送する電子輸送材料および光照射によって電子及び正孔を発生させる電荷発生材料を含む第２の粒子群と、を含んで構成し、前記第１の粒子群または前記第２の粒子群のうちの一方は、それぞれ異なる波長の光の照射により帯電し、かつそれぞれ異なる色の複数種類の粒子により構成することもできる。
【００１０】
本発明によれば、第１の粒子群と第２の粒子群とを逆極性の電荷に帯電させて電界により逆方向の基板に移動させることができるので、画像の表示コントラストをより良好なものとすることができる。
【００１１】
請求項５に記載の画像表示媒体は、一対の基板と、前記一対の基板間に配置された、正孔を輸送する正孔輸送材料および光照射によって電子及び正孔を発生させる電荷発生材料を含む第１の粒子群および前記第１の粒子群とは異なる色の電子を輸送する電子輸送材料および光照射によって電子及び正孔を発生させる電荷発生材料を含む第２の粒子群と、を備え、前記第１の粒子群または前記第２の粒子群のうちの一方は、赤色の光と青色の光とにより帯電するマゼンタ色の粒子、緑色の光と青色の光とにより帯電するシアン色の粒子、および、緑色の光と赤色の光とにより帯電するイエロー色の粒子、を含んで構成されている。本発明によれば、画像の表示コントラストの良好なフルカラー表示が可能となる。
【００１２】
請求項６に記載の画像表示媒体は、一対の基板と、前記一対の基板間に配置された、正孔を輸送する正孔輸送材料および光照射によって電子及び正孔を発生させる電荷発生材料を含む第１の粒子群および前記第１の粒子群とは異なる色の電子を輸送する電子輸送材料および光照射によって電子及び正孔を発生させる電荷発生材料を含む第２の粒子群と、を備え、前記第１の粒子群または前記第２の粒子群のうちの一方は、赤色の光と青色の光とにより帯電する、緑色の光を反射する粒子、青色の光と緑色の光とにより帯電する、赤色の光を反射する粒子、および、赤色の光と緑色の光とにより帯電する、青色の光を反射する粒子、を含んで構成されている。
【００１３】
請求項１乃至請求項６のいずれか１項に記載の画像表示媒体に画像を表示する画像表示方法としては、請求項７のように、前記画像表示装置の一対の基板間に電界を印加するとともに、一方の基板側から、それぞれ異なる波長の複数の光を画像データに基いて選択的に照射することにより画像を表示することができる。
【００１４】
また、請求項１乃至請求項６のいずれか１項に記載の画像表示媒体に画像を表示する画像表示装置は、請求項８のように、請求項１乃至請求項６いずれか１項に記載の画像表示媒体と、前記画像表示媒体の一対の基板に電界を印加する電界印加手段と、前記画像表示媒体の一方の基板に画像データに基いて光照射を行う光照射手段と、を含んで構成することができる。
【００１５】
【発明の実施の形態】
以下、本発明の実施の形態を図面を参照しながら説明する。
【００１６】
［第１の実施の形態］
第１の実施の形態に係る画像形成装置１０は、図１に示すように画像表示媒体１２、電圧印加手段１４、露光手段１６ａ、１６ｂを備える。画像表示媒体１２は、図２に示すように表示面側から順に、第２の基板１８、粒子層１９、第１の基板２０で構成されている。第１の基板２０、および第２の基板１８には、後述するように透明電極ITOが付されているが、第２の基板１８の透明電極ITOは接地されており、第１の基板２０の透明電極ITOは電圧印加手段１４と接続されている。露光手段１６ａ、１６ｂは画像表示媒体１２の第１の基板側に配置されている。
【００１７】
次に、画像表示媒体１２の詳細について説明する。画像表示媒体１２の外側を構成する第２の基板１８および第１の基板２０には、25×25×1.1ミリの透明電極ITO付き7059ガラス基板を使用する。20×20×0.5ミリサイズのシリコンゴムプレートの中央部を10×10ミリサイズの正方形に切り抜いて空間を形成し、このシリコンゴムプレートを第２の基板１８上に設置する。後述する正孔輸送材料および電荷発生材料を含有するシアン色の粒子２２と正孔輸送材料および電荷発生材料を含有するマゼンタ色の粒子２４と、粒径20μmの白色絶縁性粒子２６(積水ファインケミカルミクロパールSP-220)とを1対1対1の割合で混合し、この混合粒子約10ミリグラムを前記シリコンゴムプレートの正方形に切り抜いた空間に振るい落とす。その後、このシリコンゴムプレートに第１の基板２０を密着させ、第１及び第２の基板間をダブルクリップで加圧保持して、シリコンゴムプレートと第１及び第２の基板とを接着させ、画像表示媒体１２を形成する。
【００１８】
なお、前述のシアン色の粒子２２とマゼンタ色の粒子２４とを以下のような手順で調整した。
【００１９】
まず、シアン色の粒子２２は、ポリエステル樹脂100重量部、ベンズイミダゾールペリレン2重量部、C.I.ピグメントブルー15:3を5重量部、トリフェニルアミン20重量部、酢酸エチル110重量部をボールミルで48時間分散しA液とし、一方、カルボキシメチルセルロース2%水溶液を100重量部調整し、B液とした。次に乳化器でB液100重量部を攪拌し、その中にA液50重量部をゆっくり投入して混合液を懸濁した。その後減圧下で酢酸エチルを除去し、水洗、乾燥、分級してシアン色の粒子２２とした。粒子の平均粒径は10μmであった。この粒子は、緑色の光の照射により帯電する性質を有する。
【００２０】
次にマゼンタ色の粒子２４は、ポリエステル樹脂100重量部、ベンズイミダゾールペリレン2重量部、Ｃ．Ｉ．ピグメントレッド５７を4重量部、トリフェニルアミン20重量部、酢酸エチル110重量部をボールミルで48時間分散しC液とし、一方、カルボキシメチルセルロース2%水溶液を100重量部調整し、D液とした。次に乳化器でD液100重量部を攪拌し、その中にC液50重量部をゆっくり投入して混合液を懸濁した。その後減圧下で酢酸エチルを除去し、水洗、乾燥、分級してマゼンタ色の粒子２４とした。粒子の平均粒径は12μmであった。この粒子は、赤色の光の照射により帯電する性質を有する。
【００２１】
次に本実施の形態における作用を説明する。画像データに基いて、露光手段１６で第１の基板２０側から1mW/cm2の赤色光で露光しながら、第１の基板２０の透明電極ITOに電圧を印加する。露光によりマゼンタ色の粒子２４はプラスに帯電し、第２の基板１８の方向に移動するので、画像データに基いた露光パターンに沿って、マゼンタ色の粒子２２が、白色絶縁性粒子２６を背景として現れた。すなわち、画像表示媒体１２に白色を背景としたマゼンタ色の画像を表示することができるのである。このとき、第１の基板２０の電極に与えた電圧は5キロボルトであった。
【００２２】
さらに、画像データに基いて、露光手段１６で第１の基板２０側から1mW/cm2の緑色光で露光しながら、第１の基板２０の透明電極ITOに電圧を印加する。露光によりシアン色の粒子２２はプラスに帯電し、第２の基板１８の方向に移動するので、画像データに基いた露光パターンに沿って、シアン色の粒子２２が、白色絶縁性粒子２６を背景として現れた。すなわち、画像表示媒体１２に白色を背景としたシアン色の画像を表示することができるのである。このとき、第１の基板２０の電極に与えた電圧は６キロボルトであった。
【００２３】
尚、この画像は電界印加を停止しても、マゼンタ色の粒子２４およびシアン色の粒子２２と第１の基板２０および第２の基板１８との分子間力によってそのまま保持される。
【００２４】
なお、本実施の形態では、シアン色の粒子２２およびマゼンタ色の粒子２４を正孔輸送材料を含んで構成したが、電子輸送材料を含んで構成しマイナスの電圧を印加して第２の基板１８側へ移動させて画像を表示することもできる。
【００２５】
また、正孔または電子を輸送する電荷輸送材料、正孔および電子を発生させる電荷発生材料、第１の基板２０、第２の基板１８を構成する材料、絶縁性粒子２６としては、前述したものに限定されるものではなく、以下の材料を使用することも可能である。なお、後述する各実施の形態においても、同様に以下の材料を使用することが可能である。
【００２６】
まず、絶縁性粒子の、白色あるいは黒色の粒子としては、ジビニルベンゼンを主成分とする架橋共重合体からなる真球状粒子（積水化学工業製ミクロパールＳＰ、ミクロパールＢＢ）、架橋ポリメチルメタクリレートの微粒子（積水化成品工業（株）製MBX-20ブラック、ホワイト）、ポリテトラフルオロエチレンの微粒子（ダイキン工業（株）製ルブロンＬ、  Shamrock  Technologies  Inc.製  SST-２  ）、シリコーン樹脂微粒子（東芝シリコーン（株）製トスパール）があげられる。
【００２７】
電荷輸送材料のうち、電子性電荷輸送物質としては、ベンゾキノン系、テトラシアノエチレン系、テトラシアノキノジメタン系、フルオレノン系、キサントン系、フェナントラキノン系、無水フタール酸系、ジフェノキノン系、ビラン化合物等の有機化合物や、アモルファスシリコン、アモルファスセレン、テルル、セレンーテルル合金、硫化カドミウム、硫化銅、硫化ニッケル、硫化アンチモン、硫化亜鉛、酸化亜鉛、酸化チタン、硫化亜鉛等からなる無機Ｎ型半導体材料が挙げられる。また、正孔性電荷輸送物質としては、低分子化合物では、ピレン系、カルバゾール系、ヒドラゾン系、オキサゾール系、オキサジアゾール系、ピラゾリン系、アリールアミン系、アリールメタン系、ベンジジン系、チアゾール系、スチルベン系、ブタジエン系等の化合物が挙げられ、高分子化合物としては、ポリ-Ｎ-ビニルカルバゾール、ハロゲン化ポリ-Ｎ-ビニルカルバゾール、ポリビニルピレン、ポリビニルアンスラセン、ポリビニルアクリジン、ピレン-ホルムアルデヒド樹脂、エチルカルバゾール-ホルムアルデヒド樹脂、エチルカルバゾール-ホルムアルデヒド樹脂、トリフェニルメタンポリマー、ポリシラン等の有機化合物や、アモルファスシリコン、アモルファスセレン、テルル、セレン−テルル合金、硫化カドミウム、硫化銅、硫化ニッケル、硫化アンチモン、硫化亜鉛、酸化チタンからなる無機のＰ型半導体が挙げられる。
【００２８】
電荷発生材料としては、ビスアゾ顔料、トリスアゾ顔料等のアゾ系顔料、キノン系顔料、ペリレン系顔料、インジゴ系顔料、チオインジゴ系顔料、ビスベンゾイミダゾール系顔料、フタロシアニン系顔料、キナクリドン系顔料、キノリン系顔料、レーキ系顔料、アゾレーキ系顔料、アントラキノン系顔料、オキサジン系顔料、ジオキサジン系顔料、トリフェニルメタン系顔料、アズレニウム系染料、スクウェアリウム系染料、ピリリウム系染料、トリアリルメタン系染料、キサンテン系染料、チアジン系染料、シアニン系染料等の種々の有機顔料、染料や、更にアモルファスシリコン、アモルファスセレン、テルル、セレン-テルル合金、硫化カドミウム、硫化アンチモン、酸化亜鉛、酸化チタン、硫化銅、硫化ニッケル、硫化亜鉛等の無機材料を挙げることができる。
【００２９】
また、バインダー樹脂としては、電気絶縁性のフィルム形成可能な高分子重合体が好ましが、そのような高分子重合体としては、ポリカーボネート、ポリエステル、メタクリル樹脂、アクリル樹脂、ポリ塩化ビニル、ポリ塩化ビニリデン、ポリスチレン、ポリビニルアセテート、スチレン-ブタジエン共重合体、塩化ビニリデン-アクリロニトリル重合体、塩化ビニル-酢酸ビニル共重合体、塩化ビニル-酢酸ビニル-無水マレイン酸共重合体、シリコン樹脂、シリコン-アルキッド樹脂、フェノール-ホルムアルデヒド樹脂、スチレン-アルキッド樹脂、ポリ-Ｎ-ビニルカルバゾール、ポリビニルブチラール、ポリビニルフォルマール、ポリスルホン、カゼイン、ゼラチン、ポリビニルアルコール、エチルセルロース、フェノール樹脂、ポリアミド、カルボキシ-メチルセルロース、塩化ビニリデン系ポリマーラテックス、ポリウレタン等が挙げられる。なお、バインダー樹脂はこれらに限定されるものではなく、これらのバインダー樹脂は、単独又は２種類以上混合して用いることができる。さらに、これらのバインダー樹脂と共に、分散安定剤、可塑剤、表面改質剤、酸化防止剤、光劣化防止剤等の添加剤を使用することもできる。
【００３０】
ここで、正孔輸送物質としては、ヒドラゾン化合物やスチルベン化合物、ピラゾリン化合物、アリールアミン化合物等がある。基板にはこれらを含有した樹脂を用いることができる。また、電子輸送性物質としては、フルオレノン化合物、ジフェノキノン誘導体、ピラン化合物、酸化亜鉛等がある。基板にはこれらを含有した樹脂を用いることができる。
【００３１】
また、基板に電荷輸送性を有する自己支持性の樹脂を用いてもよい。これにより、曲げや伸び等、画像表示媒体１２に加わる外力に対して強い構造とすることができる。
【００３２】
このような電荷輸送性を有する自己支持性の樹脂としては、電荷輸送性ポリマーがある。例えば、ポリビニルカルバゾール、米国特許第４，８０６，４４３号に記載の特定のジヒドロキシアリールアミンとビスクロロホルメートとの重合によるポリカーボネート、米国特許第４，８０６，４４４号に記載の特定のジヒドロキシアリールアミンとホスゲンとの重合によるポリカーボネート、米国特許第４，８０１，５１７号に記載のビスヒドロキシアルキルアリールアミンとビスクロロホルメート或いはホスゲンとの重合によるポリカーボネート、米国特許第４，９３７，１６５号及び同第４，９５９，２８８号に記載の特定のジヒドロキシアリールアミン或いはビスヒドロキシアルキルアリールアミンとビスクロロホルメートとの重合によるポリカーボネート、或いはビスアシルハライドとの重合によるポリエステル、米国特許第５，０３４，２９６号に記載の特定のフルオレン骨格を有するアリールアミンのポリカーボネート、或いはポリエステル、米国特許第４，９８３，４８２号に記載のポリウレタン、特公昭５９−２８９０３号公報記載の特定のビススチリルビスアリールアミンを主鎖としたポリエステル、特開昭６１−２０９５３号公報、特開平１−１３４４５６号公報、特開平１−１３４４５７号公報、特開平１−１３４４６２号公報、特開平４−１３３０６５号公報、特開平４−１３３０６６号公報等に記載のヒドラゾン、トリアリールアミン等の電荷輸送性の置換基をペンダントとしたポリマー、“The Sixth International Congress on Advances in Non-impact Printing Technologies, 306, (1990)."により報告されたテトラアリールベンジジン骨格を有するポリマー、等があげられる。
【００３３】
また、例えば、特開平８−２５３５６８記載の一般式（Ｉ−１）または（Ｉ−２）で示される電荷輸送性ポリマーが使用できる［式中、Ｙは２価の炭化水素基を表し、Ｚは２価の炭化水素基を表し、Ａは、式（Ｉ−３）（ここで、Ｒ1 およびＲ2 は、それぞれ独立に水素原子、アルキル基、アルコキシ基、置換アミノ基、またはハロゲン原子を表し、Ｘは置換または未置換の２価の芳香族基を表し、ｎは１〜５の整数を表し、ｋは０または１を表す）で示される基を表わし、ＢおよびＢ′は、それぞれ独立に基−Ｏ−（Ｙ−Ｏ）ｍ−Ｈまたは基−Ｏ−（Ｙ−Ｏ）ｍ−ＣＯ−Ｚ−ＣＯ−ＯＲ′（ここで、Ｒ′は水素原子、アルキル基、置換もしくは未置換のアリール基、置換もしくは未置換のアラルキル基を表し、Ｙは２価の炭化水素基を表し、Ｚは２価の炭化水素基を表し、ｍは１〜５の整数を表す）、ｍは１〜５の整数を表し、ｐは５〜５０００の整数を表す］。さらに、一般式（Ｉ−１）または（Ｉ−２）におけるＸが、構造式（II）または（III ）で示される電荷輸送性ポリマーが使用できる。
【００３４】
【化１】
0004051829.tif 000002
【００３５】
また、導電性を持つ粒子は、基板との接触により電荷の移動を行なうことができるものである。このような粒子としては、例えば、カーボンブラック、ニッケル、銀、金、錫等の金属の粒子、又はこれらの材料を粒子表面に被覆したり、含有したりした粒子である。具体的には、ジビニルベンゼンを主成分とする架橋共重合体からなる微粒子の表面に無電界ニッケルメッキを行った真球状導電性粒子（積水化学工業製ミクロパールNI（商品名））、さらにその後、金置換メッキを施した真球状導電性粒子（積水化学工業（株）製ミクロパールAU（商品名））があげられる。また、熱硬化性フェノール樹脂を炭素化焼成して得られるアモルファスカーボンの真球状導電性粒子（ユニチカ（株）製ユニベックスＧＣＰ、H-Type（商品名）：体積固有抵抗≦10-2Ω・cm）、さらに金、銀などの金属を表面被覆した真球状導電性粒子（ユニチカ（株）製ユニベックスＧＣＰ（商品名）：体積固有抵抗≦10-4Ω・cm）、シリカ、アルミナの真球状酸化物微粒子の表面にAg及び酸化錫をコーティングした真球状導電性粒子（（株）アドマテックス製アドマファイン（商品名））、あるいはスチレン樹脂、アクリル樹脂、フェノール樹脂、シリコーン樹脂、ポリエステル樹脂、ガラスなど各種材料からなる母粒子の表面に導電性の微粉末を付着させたり、埋め込んだりした粒子があげられる。また、異なる色の粒子として、シアン、マゼンタ、イエロー、レッド、グリーン、ブルーなどの有色の粒子のほかに、白色あるいは黒色の無色の粒子も含む。白色あるいは黒色の粒子としては、ジビニルベンゼンを主成分とする架橋共重合体からなる真球状粒子（積水化学工業製ミクロパールＳＰ、ミクロパールＢＢ（商品名））、架橋ポリメチルメタクリレートの微粒子（積水化成品工業（株）製MBX-20ブラック、ホワイト（商品名））、ポリテトラフルオロエチレンの微粒子（ダイキン工業（株）製ルブロンＬ、Shamrock  Technologies  Inc.製  SST-２（商品名））、シリコーン樹脂微粒子（東芝シリコーン（株）製トスパール）があげられる。
【００３６】
第１の基板２０および第２の基板１８を構成する材料としては、ガラスまたはプラスチック等が挙げられるが、紙ハードコピーに近いフレキシブル性やラフな取り扱いにも耐えられる機械強度に優れる点で、プラスチック材料を用いる事が望ましい。そのようなプラスチック基板としては、ポリエチレンテレフタレート等のポリエステル系フィルム、ポリカーボネート、ポリイミドなどが挙げられる。基板の厚みとしては、自己支持性やフレキシブル性、軽量性、重ねた時の厚みなどの点で７５μm〜５００μm程度が好適である。
【００３７】
また、本実施の形態および後述する各実施の形態での電荷発生材料および電荷輸送材料含有粒子の製造方法として用いることのできる方法は以下の通りである。
【００３８】
粒子の製造方法の一つに、溶解懸濁法が知られている。溶解懸濁法はポリエステルやスチレンなどの樹脂と顔料などを溶剤に溶解・分散した油相液を、水溶性樹脂を含む水相中で混合・懸濁して粒子化し、溶媒を除去して乾燥粉体化する方法である。電荷輸送材、例えばトリフェニルアミンとポリエステル樹脂と着色顔料とを溶剤に溶解・分散した油相液を、水性溶媒中で混合・懸濁して粒子化して、溶媒除去粉体化することにより、電荷輸送材入りの粒子が得られる。
【００３９】
電荷発生材料および電荷輸送材としては、前述のものが利用できる。
【００４０】
着色剤としては公知の有機、もしくは無機の顔料や染料、油溶性染料を使用できる。例えば、ファーネスブラック、チャンネルブラックなどのカーボンブラック、ベンガラ、紺青、酸化チタンなどの無機顔料、ファストイエロ、ジスアゾイエロー、ピラゾロンレッド、キレートレッド、ブリリアントカーミン、パラブラウンなどのアゾ顔料、銅フタロシアニン、無金属フタロシアニンなどのフタロシアニン顔料、フラバンドロンイエロー、シフロモアンドロンオレンジ、ペリレンレッド、キナクリドンレッド、ジオキサジンバイオレットなどの縮合多環系顔料などが挙げられる。
【００４１】
油相成分の調整に用いる溶媒としては一般の有機溶媒を用いることができる。例えば、トルエン、キシレン、ヘキサンなどの炭化水素、塩化メチレン、クロロホルム、ジクロロエタンなどのハロゲン化炭化水素、メタノール、エタノールなどのアルコール、テトラヒドロフランなどのエーテル類、酢酸メチル、酢酸エチル、酢酸ブチルなどのエステル類、アセトン、メチルエチルケトン、シクロヘキサノンなどのケトン類が挙げられる。
【００４２】
水性媒体としては、主として水が用いられるが、水溶性溶媒を混合して用いることもできる。さらに、分散剤を添加することが粒径分布上好ましい。
【００４３】
なお、本発明で使用する電荷輸送材料、電荷発生材料、バインダー樹脂などは、ここに挙げたものに限定されるものではなく、また、その使用に際しては単独、あるいは２種類以上混合して用いることもできる。
また、本実施の形態に係る画像表示装置１０を構成する露光手段１６としては、CRTのような面発光デバイスとファイバー光学系や結像光学系などを組み合わせた光書き込み装置の他、液晶調光素子、蛍光表示管、プラズマ発光素子、EL発光素子、LED発光素子などをライン状に配列した一次元光書き込み装置、あるいは前述の素子を面状に配列した、二次元光書き込み装置などを用いることができる。また、上記露光手段は、RGB発光を示す発光素子やRGBフィルターとの組み合わせによって、色分解された露光が可能である。（面状露光装置：図９参照、ライン状露光装置：図８参照）。
また、RGBの波長を発振する各レーザー光源を走査光学系により一次元、または二次元的に走査する光書き込み装置（レーザー露光装置：図１０参照））を用いることができる。また、上記のようなデジタル露光手段ではなく、蛍光灯、ハロゲンランプなどからの照明光などを波長分解して、直接あるいは、反射物や透過物を介して照射したり、レンズで結像しても良い。
【００４４】
本実施の形態によれば、電界を印加するとともに、第１の基板２０側から、それぞれ異なる波長の複数の光を画像データに基いて選択的に照射することにより画像を表示することができるので、多色（２色以上）画像を表示させるためにマトリクス電極や画素電極を用いる必要がなく、画像表示媒体および画像表示装置を簡易な構成にすることができ、かつ低コストで製造することができる。また、マトリクス電極や画素電極を用いた場合のように画像の解像度が電極解像度に制約されないため、電極解像度に制約されず高解像度表示を実現することができる。さらに、マトリクス電極や画素電極を用いた場合のように画像表示媒体とデータを転送する側の駆動回路との電気的な接点数を多数必要とせず、接点数は２点のみで済むため、画像表示媒体の画像表示装置からの脱着が容易となる。また、画像表示媒体の内部は固体のみで構成されているため液体漏出のおそれもなく、液体で構成されている場合に比べて画像表示媒体の取り扱いが容易になる。
【００４５】
[第２の実施の形態］
第２の実施の形態は、第１の実施の形態と同様の部分については同一の番号を付して、異なる部分のみを説明する。
【００４６】
まず、後述するように粒子層１９に封入するシアン色の粒子３２、マゼンタ色の粒子２８、および白色の粒子３０とを以下のような手順で調整した。
【００４７】
まず、シアン色の粒子３２は、以下の手順により調整する。
【００４８】
ポリエステル樹脂100重量部、ベンズイミダゾールペリレン2重量部、C.I.ピグメントブルー15:3を5重量部、ｎ型水素化アモルファス炭化シリコン粉末10重量部、酢酸エチル110重量部をボールミルで48時間分散しA液とした。一方、カルボキシメチルセルロース2%水溶液を100重量部調整し、B液とした。次に乳化器でB液100重量部を攪拌し、その中にA液50重量部をゆっくり投入して混合液を懸濁した。その後減圧下で酢酸エチルを除去し、水洗、乾燥、分級してシアン色の電子輸送材料と電荷発生材料を含む粒子とした。粒子の平均粒径は10μmであった。この粒子は、緑色と青色の光の照射によりマイナスに帯電する性質を有する。
【００４９】
次にマゼンタ色の粒子２８を以下のような手順で調整した。
【００５０】
ポリエステル樹脂100重量部、ベンズイミダゾールペリレン2重量部、Ｃ．Ｉ．ピグメントレッド５７を4重量部、ｎ型水素化アモルファス炭化シリコン粉末10重量部、酢酸エチル110重量部をボールミルで48時間分散しC液とした。一方、カルボキシメチルセルロース2%水溶液を100重量部調整し、D液とした。次に乳化器でD液100重量部を攪拌し、その中にC液50重量部をゆっくり投入して混合液を懸濁した。その後減圧下で酢酸エチルを除去し、水洗、乾燥、分級してマゼンタ色の正孔輸送材料と電荷発生材料を含む粒子とした。粒子の平均粒径は12μmであった。この粒子は、赤色と青色の光の照射によりマイナスに帯電する性質を有する。
【００５１】
さらに白色の粒子３０を以下のような手順で調整した。
【００５２】
ポリエステル樹脂100重量部、トリフェニルアミン20重量部、酸化亜鉛粉末10重量部、酢酸エチル110重量部をボールミルで48時間分散しE液とした。一方、カルボキシメチルセルロース2%水溶液を100重量部調整し、F液とした。次に乳化器でF液100重量部を攪拌し、その中にE液50重量部をゆっくり投入して混合液を懸濁した。その後減圧下で酢酸エチルを除去し、水洗、乾燥、分級して白色の電子輸送材料と電荷発生材料を含む粒子とした。粒子の平均粒径は10μmであった。
【００５３】
第１の実施の形態と同様に、第２の基板１８上に設置したシリコンゴムプレートの空間に、シアン色の粒子３２、マゼンタ色の粒子２８と、白色の粒子３０とを1対1対1の割合で混合した混合粒子約10ミリグラムを振るい落とす。その後、このシリコンゴムプレートに第１の基板２０を密着させ、前述の実施の形態と同様にして図３に示すような画像表示媒体１２を形成する。
【００５４】
次に本実施の形態における作用を説明する。画像データに基いて、露光手段１６で第１の基板２０側から1mW/cm2の赤色光で露光しながら、第１の基板２０の透明電極ITOに電圧を印加する。露光によりマゼンタ色の粒子２８はマイナスに帯電して第２の基板１８の方向に移動し、白色の粒子３０はプラスに帯電して第１の基板２０の方向に移動するので、画像データに基いた露光パターンに沿って、マゼンタ色の粒子２８が、白色の粒子３０を背景として現れた。すなわち、画像表示媒体１２に白色を背景としたマゼンタ色の画像を表示することができるのである。このとき、第１の基板２０の電極に与えた電圧はマイナス４キロボルトであった。
【００５５】
さらに、画像データに基いて、露光手段１６で第１の基板２０側から1mW/cm2の緑色光で露光しながら、第１の基板２０の透明電極ITOに電圧を印加する。露光によりシアン色の粒子３２はマイナスに帯電して第２の基板１８の方向に移動し、白色の粒子３０はマイナスに帯電して第１の基板２０の方向に移動するので、画像データに基いた露光パターンに沿って、シアン色の粒子３２が、白色の粒子３０を背景として現れた。すなわち、画像表示媒体１２に白色を背景としたシアン色の画像を表示することができるのである。このとき、第１の基板２０の電極に与えた電圧はマイナス５キロボルトであった。
【００５６】
尚、この画像は電界印加を停止しても、マゼンタ色の粒子２８、シアン色の粒子３２および白色の粒子３０と第１の基板２０および第２の基板１８との分子間力によってそのまま保持される。
【００５７】
本実施の形態によれば、マゼンタ色の粒子２８およびシアン色の粒子３２と白色の粒子３０とを逆極性の電荷に帯電させて、電界に従って逆方向の基板に移動させることができるので、画像の表示コントラストをより良好なものとすることができる。
【００５８】
[第３の実施の形態］
第３の実施の形態は、前述の実施の形態と同様の部分については同一の番号を付して、異なる部分のみを説明する。
【００５９】
まず、後述するように粒子層１９に封入するシアン色の粒子３４、マゼンタ色の粒子３６、イエロー色の粒子３８および白色の粒子４０とを以下のような手順で調整した。
【００６０】
まず、シアン色の粒子３４は、以下の手順により調整する。
【００６１】
ポリエステル樹脂100重量部、ベンズイミダゾールペリレン2重量部、C.I.ピグメントブルー15:3を5重量部、トリフェニルアミン20重量部、酢酸エチル110重量部をボールミルで48時間分散しA液とした。一方、カルボキシメチルセルロース2%水溶液を100重量部調整し、B液とした。次に乳化器でB液100重量部を攪拌し、その中にA液50重量部をゆっくり投入して混合液を懸濁した。その後減圧下で酢酸エチルを除去し、水洗、乾燥、分級してシアン色の正孔輸送材料と電荷発生材料を含む粒子とした。粒子の平均粒径は10μmであった。この粒子は、緑色と青色の光の照射によりプラスに帯電する性質を有する。
【００６２】
次にマゼンタ色の粒子３６を以下のような手順で調整した。
【００６３】
ポリエステル樹脂100重量部、ベンズイミダゾールペリレン2重量部、Ｃ．Ｉ．ピグメントレッド５７を5重量部、トリフェニルアミン20重量部、酢酸エチル110重量部をボールミルで48時間分散しC液とした。一方、カルボキシメチルセルロース2%水溶液を100重量部調整し、D液とした。次に乳化器でD液100重量部を攪拌し、その中にC液50重量部をゆっくり投入して混合液を懸濁した。その後減圧下で酢酸エチルを除去し、水洗、乾燥、分級してマゼンタ色の正孔輸送材料と電荷発生材料を含む粒子とした。粒子の平均粒径は10μmであった。この粒子は、赤色と青色の光の照射によりプラスに帯電する性質を有する。
【００６４】
次にイエロー色の粒子３８を以下のような手順で調整した。
ポリエステル樹脂100重量部、ベンズイミダゾールペリレン2重量部、Ｃ．Ｉ．ピグメント・イエロー１２を5重量部、トリフェニルアミン20重量部、酢酸エチル110重量部をボールミルで48時間分散しE液とした。一方、カルボキシメチルセルロース2%水溶液を100重量部調整し、F液とした。次に乳化器でF液100重量部を攪拌し、その中にE液50重量部をゆっくり投入して混合液を懸濁した。その後減圧下で酢酸エチルを除去し、水洗、乾燥、分級してイエロー色の正孔輸送材料と電荷発生材料を含む粒子とした。粒子の平均粒径は10μmであった。この粒子は、赤色と緑色の光の照射によりプラスに帯電する性質を有する。
【００６５】
前述の実施の形態と同様に、第２の基板１８上に設置したシリコンゴムプレートの空間に、シアン色の粒子３４、マゼンタ色の粒子３６、イエロー色の粒子３８および、白色の絶縁性粒子２６とを1対1対1対３の割合で混合した混合粒子約10ミリグラムを振るい落とす。その後、このシリコンゴムプレートに第１の基板２０を密着させ、前述の実施の形態と同様にして、図５に示すような画像表示媒体１２を形成し、図４に示すような画像表示装置を構成する。
【００６６】
次に本実施の形態における作用を説明する。画像データに基いて、第１の基板２０側から1mW/cm2の青色露光を画像データに基いて行い、第１の基板２０の電極に与える電圧を徐々に上げていったところ、第２の基板１８に露光パターンに沿ってシアン色の粒子３４とマゼンタ色の粒子３６が白色絶縁粒子２６を背景にして現れた。画像部の外観はシアン色とマゼンタ色の減色混合により青色となっていた。このとき、第１の基板２０の電極に与えた電圧は5キロボルトであった。次に、第１の基板２０側から1mW/cm2の緑色露光を画像データに基づいて行い第１の基板２０の電極に与える電圧を徐々に上げていったところ、第２の基板１８に露光パターンに沿ってシアン色の粒子３４とイエロー色の粒子３８が白色絶縁性粒子２６を背景にして現れた。画像部の外観はシアン色とイエロー色の減色混合により緑色となっていた。このとき、第１の基板２０の電極に与えた電圧は5キロボルトであった。さらに、第１の基板２０側から1mW/cm2の赤色露光を画像データに基づいて行い第１の基板２０の電極に与える電圧を徐々に上げていったところ、第２の基板１８に露光パターンに沿ってマゼンタ色の粒子３６とイエロー色の粒子３８が白色の絶縁性粒子２６を背景にして現れた。画像部の外観はマゼンタ色とイエロー色の減色混合により赤色となっていた。このとき、第１の基板２０の電極に与えた電圧は5キロボルトであった。
【００６７】
尚、上述の手順により表示された画像は電界印加を停止しても、マゼンタ色の粒子３６、シアン色の粒子３４およびイエロー色の粒子３８と第１の基板２０および第２の基板１８との分子間力によってそのまま保持される。
【００６８】
本実施の形態によれば、異なる波長の光照射により選択的にシアン色、マゼンタ色、イエロー色の各粒子を帯電させ、電界の印加により移動させて画像を表示することができるので、画像のフルカラー表示が可能となる。すなわち、ハードコピーと同じ様な光吸収物質による色再現が可能な、良好なコントラストを有するフルカラー表示のが可能な画像表示媒体および画像表示装置を提供することができる。
【００６９】
[第４の実施の形態］
第４の実施の形態は、前述の実施の形態と同様の部分については同一の番号を付して、異なる部分のみを説明する。
【００７０】
まず、特開平６−１８６５３４に開示されている方法と同様な方法で以下のような液晶ポリマーの精製物を用意した。
【００７１】
【化２】
0004051829.tif 000003
【００７２】
次に、後述するように粒子層１９に封入する青色の粒子４０、緑色の粒子４２、赤色の粒子４４とを以下のような手順で調整した。
【００７３】
まず、青色の選択反射を示す正孔発生材料と電荷輸送材料を含む粒子青色の粒子４４を以下の手順で作成した。
【００７４】
式(1)のポリマーを67重量部、式(2)のポリマーを33重量部、ベンズイミダゾールペリレン2重量部、トリフェニルアミン20重量部、酢酸エチル110重量部をボールミルで48時間分散しA液とした。一方、カルボキシメチルセルロース2%水溶液を100重量部調整し、B液とした。次に乳化器でB液100重量部を攪拌し、その中にA液50重量部をゆっくり投入して混合液を懸濁した。その後減圧下で酢酸エチルを除去し、水洗、乾燥、分級して青色の選択反射を示す電子輸送材料と電荷発生材料を含む粒子とした。粒子の平均粒径は10μmであった。この粒子は、赤色と緑色の光の照射によりプラスに帯電する性質を有する。
【００７５】
次に、緑色の選択反射を示す正孔発生材料と電荷輸送材料を含む粒子緑色の粒子４２を以下の手順で作成した。
【００７６】
式(1)のポリマーを70重量部、式(2)のポリマーを30重量部、ベンズイミダゾールペリレン2重量部、トリフェニルアミン20重量部、酢酸エチル110重量部をボールミルで48時間分散しC液とした。一方、カルボキシメチルセルロース2%水溶液を100重量部調整し、D液とした。次に乳化器でD液100重量部を攪拌し、その中にC液50重量部をゆっくり投入して混合液を懸濁した。その後減圧下で酢酸エチルを除去し、水洗、乾燥、分級して青色の選択反射を示す電子輸送材料と電荷発生材料を含む粒子とした。粒子の平均粒径は10μmであった。この粒子は、赤色と青色の光の照射によりプラスに帯電する性質を有する。
【００７７】
次に、赤色の選択反射を示す正孔発生材料と電荷輸送材料を含む粒子赤色の粒子４４を以下の手順で作成した。
【００７８】
式(1)のポリマーを72重量部、式(2)のポリマーを28重量部、ベンズイミダゾールペリレン2重量部、トリフェニルアミン20重量部、酢酸エチル110重量部をボールミルで48時間分散し E液とした。一方、カルボキシメチルセルロース2%水溶液を100重量部調整し、F液とした。次に乳化器でF液100重量部を攪拌し、その中にE液50重量部をゆっくり投入して混合液を懸濁した。その後減圧下で酢酸エチルを除去し、水洗、乾燥、分級して赤色の選択反射を示す電子輸送材料と電荷発生材料を含む粒子とした。粒子の平均粒径は10μmであった。この粒子は、緑色と青色の光の照射によりプラスに帯電する性質を有する。
【００７９】
前述の実施の形態と同様に、第２の基板１８上に設置したシリコンゴムプレートの空間に、青色の粒子４０、緑色の粒子４２、赤色の粒子４４および、黒色の絶縁性粒子４６とを1対1対1対３の割合で混合した混合粒子約10ミリグラムを振るい落とす。その後、このシリコンゴムプレートに第１の基板２０を密着させ、前述の実施の形態と同様にして、図７に示すような画像表示媒体１２を形成し、図６に示すような画像表示装置を構成する。
【００８０】
次に本実施の形態における作用を説明する。画像データに基いて、第１の基板２０側から1mW/cm2の青色露光を画像データに基づいて行い、第１の基板２０の電極に与える電圧を徐々に上げていったところ、第２の基板１８に露光パターンに沿って緑色の粒子４２と赤色の粒子４４が黒色の粒子４６を背景にして現れた。画像部の外観は緑色と赤色の加色混合によりイエロー色となっていた。このとき、第１の基板２０の電極に与えた電圧は5キロボルトであった。次に、第１の基板２０側から1mW/cm2の緑色露光を画像データに基づいて行い、第１の基板２０の電極に与える電圧を徐々に上げていったところ、第２の基板１８に露光パターンに沿って青色の粒子４０と赤色の粒子４４が黒色の粒子４６を背景にして現れた。画像部の外観は青色と赤色の加色混合によりマゼンタ色となっていた。このとき、第１の基板２０の電極に与えた電圧は5キロボルトであった。さらに、第１の基板２０側から1mW/cm2の赤色露光を画像データに基づいてに行い、第１の基板２０の電極に与える電圧を徐々に上げていったところ、第２の基板１８に露光パターンに沿って青色の粒子４０と緑色の粒子４２が黒色の粒子４６を背景にして現れた。画像部の外観は青色と緑色の減色混合によりシアン色となっていた。このとき、第１の基板２０の電極に与えた電圧は5キロボルトであった。
【００８１】
尚、上述の手順により表示された画像は電界印加を停止しても、青色の粒子４０、緑色の粒子４２および赤色の粒子４４と第１の基板２０および第２の基板１８との分子間力によってそのまま保持される。
【００８２】
本実施の形態によれば、異なる波長の光照射により選択的にそれぞれ青色、緑色、赤色の選択反射を示す各粒子を帯電させ、電界の印加により移動させて画像を表示することができるので、画像のフルカラー表示が可能となる。すなわち、発光型や透過型の電子ディスプレイと同じ様な光３原色による色再現を有するフルカラー表示の可能な画像表示媒体および画像表示装置を提供することができる。
【００８３】
【発明の効果】
以上説明したように、本発明は、光の照射により選択的に正孔−電子対を発生させて、異なる色の粒子を帯電させるとともに、電圧印加により電界を発生させて、帯電した粒子を電荷に対応した電極板側に移動させることにより画像を表示することができるので、多色（２色以上）の画像を表示させるためにマトリクス電極や画素電極を用いる必要がなく、簡易な構造でかつ低コストで製造することができる、という効果を有する。また、本発明は、マトリクス電極や画素電極を用いた場合のように画像の解像度が電極解像度に制約されないため、電極解像度に制約されず高解像度表示を実現することができ、さらには、多色（２色以上）での繰り返し書き換えが可能である、という効果を有する。
【図面の簡単な説明】
【図１】  第１および第２の実施の形態に係る画像表示装置の概略構成図である。
【図２】  第１の実施の形態に係る画像表示媒体の概略構成図である。
【図３】  第２の実施の形態に係る画像表示媒体の概略構成図である。
【図４】  第３の実施の形態に係る画像表示装置の概略構成図である。
【図５】  第３の実施の形態に係る画像表示媒体の概略構成図である。
【図６】  第４の実施の形態に係る画像表示装置の概略構成図である。
【図７】  第４の実施の形態に係る画像表示媒体の概略構成図である。
【図８】  本発明に係る画像表示媒体を赤、緑、青色光から成るライン露光装置で露光する様子を示す図である。
【図９】  本発明に係る画像表示媒体を赤、緑、青色のフィルタを有する面状露光装置で露光する様子を示す図である。
【図１０】本発明に係る画像表示媒体を赤、緑、青色のレーザー露光装置で露光する様子を示す図である。
【符号の説明】
１０  画像表示装置
１２  画像表示媒体
１４  電界印加手段
１６ａ〜１６ｅ  露光手段（照射手段）
１８  第２の基板
２０  第１の基板
２２  シアン色の粒子
２４  マゼンタ色の粒子
２６  白色絶縁性粒子
２８  シアン色の粒子
３０  白色の粒子
３２  マゼンタ色の粒子
３４  シアン色の粒子
３６  マゼンタ色の粒子
３８  イエロー色の粒子
４０  青色の粒子
４２  緑色の粒子
４４  赤色の粒子
４６  黒色の粒子
【図１】
0004051829.tif 000004
【図２】
0004051829.tif 000005
【図３】
0004051829.tif 000006
【図４】
0004051829.tif 000007
【図５】
0004051829.tif 000008
【図６】
0004051829.tif 000009
【図７】
0004051829.tif 000010
【図８】
0004051829.tif 000011
【図９】
0004051829.tif 000012
【図１０】
0004051829.tif 000013